Podtech/llm-jp-corpus-v4-ja_patent huggingface dataset:
【手続補正書】
【提出日】平成22年2月18日(2010.2.18)
【手続補正１】
【補正対象書類名】明細書
【補正対象項目名】００１２
【補正方法】変更
【補正の内容】
【００１２】
上記の課題を解決するための第７の発明（請求項７に対応）に係る液体塗布機械の接触圧調整装置は、
液体が供給される第１の回転体と、
前記第１の回転体から液体を供給される第２の回転体と、
前記第１の回転体と第２の回転体の間の接触圧を調整する接触圧調整手段と
を備えた液体塗布機械において、
前記液体塗布機械が稼動してからの稼働時間を計測する稼働時間計測手段又は塗布枚数計数手段と、
計測した稼働時間又は塗布枚数より前記接触圧調整手段を制御する接触圧制御手段と
を備える
ことを特徴とする。
【手続補正２】
【補正対象書類名】明細書
【補正対象項目名】０２４８
【補正方法】変更
【補正の内容】
【０２４８】
ステップＰ１８４において、ＣＰＵ１０は、メモリＭ３４に記憶されたインキ色ＩＣｍの印刷稼動時間−ゴム胴と圧胴間の印圧補正量変換カーブ用データ・ベースより、最小二乗法を用いて、印刷稼動時間−ゴム胴と圧胴間の印圧補正量変換カーブを作成し、メモリＭ３５に上書きする。ＣＰＵ１０は、ステップＰ１８４の処理が完了した後、ステップＰ１８５を実行する。以上のステップにより、本刷り中に各印刷ユニットＭの各接触圧調整手段のどれかがオペレータによって手動で調整された場合、その調整された結果を考慮して調整された部分に対応するインキ色の印刷稼働時間−ニップ圧又は印圧変換カーブを書き換える。
【手続補正３】
【補正対象書類名】明細書
【補正対象項目名】０２５１
【補正方法】変更
【補正の内容】
【０２５１】
ステップＰ１８７において、ＣＰＵ１０は、メモリＭ３に記憶されたカウント値Ｍに１を書き込む。ＣＰＵ１０は、ステップＰ１８７の処理が完了した後、ステップＰ
１８８を実行する。
【手続補正４】
【補正対象書類名】明細書
【補正対象項目名】０３３６
【補正方法】変更
【補正の内容】
【０３３６】
ステップＰ２４３において、ＣＰＵ１０は、メモリＭ３に記憶されたカウント値Ｍに１を書き込む。ＣＰＵ１０は、ステップＰ２４３の処理が完了した後、ステップＰ
２４４を実行する。
【手続補正５】
【補正対象書類名】明細書
【補正対象項目名】０３５７
【補正方法】変更
【補正の内容】
【０３５７】
ステップＰ２５１において、ＣＰＵ１０は、メモリＭ３に記憶されたカウント値Ｍに１を書き込む。ＣＰＵ１０は、ステップＰ２５１の処理が完了した後、ステップＰ
２５２を実行する。
【手続補正６】
【補正対象書類名】明細書
【補正対象項目名】０５１２
【補正方法】変更
【補正の内容】
【０５１２】
ステップＰ４００において、ＣＰＵ１０は、インキ供給部Ｍのインキ・ツボ・ローラ−インキ着けローラ間のニップ圧調整用モータ・ドライバ４２への逆転指令出力を停止し、インキ供給部Ｍのインキ着けローラ−凸版胴間のニップ圧調整用モータを停止させる。ＣＰＵ１０は、ステップＰ４００の処理が完了した後、ステップＰ４０１を実行する。
【手続補正７】
【補正対象書類名】明細書
【補正対象項目名】０７１５
【補正方法】変更
【補正の内容】
【０７１５】
ステップＰ５７２において、ＣＰＵ１０は、インキ供給部Ｍのインキ・ツボ・ローラ−パターン胴間のニップ圧調整用モータ・ドライバ５９への逆転指令出力を停止し、インキ供給部Ｍのインキ・ツボ・ローラ−パターン胴間のニップ圧調整用モータ５８を停止させる。ＣＰＵ１０は、ステップＰ５７２の処理が完了した後、ステップＰ５７３を実行する。
【手続補正８】
【補正対象書類名】明細書
【補正対象項目名】０７３６
【補正方法】変更
【補正の内容】
【０７３６】
メモリＭ８６に記憶されたインキ供給部Ｍのパターン胴−凹版胴間のニップ圧調整用モータ用ポテンショ・メータ６３に接続されたＡ／Ｄ変換器の出力と、メモリＭ９７に記憶されたインキ供給部Ｍの目標とするパターン胴−凹版胴間のニップ圧調整用モータ用ポテンショ・メータ６３に接続されたＡ／Ｄ変換器の出力とが等しい場合は、ステップＰ５８７を実行する。
【手続補正９】
【補正対象書類名】明細書
【補正対象項目名】０８７２
【補正方法】変更
【補正の内容】
【０８７２】
ＣＰＵ１０は、Ｉ／Ｏ１６，３１〜３３を介して与えられる各種入力情報を得て、ＲＡＭ１１やメモリＭ１１，Ｍ１２，Ｍ１１４〜Ｍ１２５にアクセスしながら、ＲＯＭ１２に記憶されたプログラムに従って動作する。入力装置１３には、着けローラ５００−コーター胴５０１間のニップ圧調整選択スイッチ、圧調整完了スイッチ、アップ・ボタン、ダウン・ボタン、コーター胴５０１−圧胴５０２間の印圧調整選択スイッチ、本刷り開始ボタン、本刷り完了ボタン等の各種入力装置が設置されている。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
酸を含む被処理気体をスクラバーにより中和する気体処理方法であって、
前記スクラバーは、アルカリ性物質を内部空間に有する複数の多孔質体が充填された処理部を備えており、
前記処理部に水を注入することにより、前記多孔質体内部のアルカリ性物質を溶解させ、前記アルカリ性物質の溶解したアルカリ性水溶液が前記多孔質体の表面を覆い、
前記被処理気体を前記スクラバーに導入して前記アルカリ性水溶液と接触させることにより前記被処理気体中の酸を中和することを特徴とする気体処理方法。
【請求項２】
請求項１に記載の気体処理方法において、
前記アルカリ性物質が固体であることを特徴とする気体処理方法。
【請求項３】
請求項１または請求項２に記載の気体処理方法において、
前記アルカリ性物質が、ＮａＯＨ、ＫＯＨ、ＮａＣｌＯおよびＮａ２ＣＯ３の少なくともいずれかであることを特徴とする気体処理方法。
【請求項４】
請求項１〜請求項３のいずれかに記載の気体処理方法において、
前記多孔質体の素材が、セラミックス、金属、ゴム、熱可塑性樹脂および熱硬化性樹脂の少なくともいずれかであることを特徴とする気体処理方法。
【請求項５】
請求項１〜請求項４にいずれかに記載の気体処理方法において、
前記多孔質体の孔径が０．１〜５００μｍであることを特徴とする気体処理方法。
【請求項６】
請求項１〜請求項５のいずれかに記載の気体処理方法において、
前記多孔質体の孔数が１００〜５０００個／ｃｍ２であることを特徴とする気体処理方法。
【請求項７】
請求項１〜請求項６のいずれかに記載の気体処理方法において、
前記多孔質体の平均径が１〜５ｃｍであることを特徴とする気体処理方法。
【手続補正２】
【補正対象書類名】明細書
【補正対象項目名】０００５
【補正方法】変更
【補正の内容】
【０００５】
前記した課題を解決すべく、本発明は、酸を含む被処理気体をスクラバーにより中和する気体処理方法であって、前記スクラバーは、アルカリ性物質を内部空間に有する複数の多孔質体が充填された処理部を備えており、前記処理部に水を注入することにより、前記多孔質体内部のアルカリ性物質を溶解させ、前記アルカリ性物質の溶解したアルカリ性水溶液が前記多孔質体の表面を覆い、前記被処理気体を前記スクラバーに導入して前記アルカリ性水溶液と接触させることにより前記被処理気体中の酸を中和することを特徴とする。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
コンベアにより搬送される物品によって押されながら、前記物品を案内するガイドを清掃する清掃具であって、
前記コンベア上に載置される基体と、
前記基体の両側部に支持された２枚の清掃部材支持板と、
前記２枚の清掃部材支持板のそれぞれに支持された清掃部材と、を備えることを特徴とする清掃具。
【請求項２】
前記コンベアにより搬送される物品と当接する物品当接板をさらに備えることを特徴とする請求項１に記載の清掃具。
【請求項３】
前記２枚の清掃部材支持板は、前記基体の両側部に弾性的に支持されていることを特徴とする請求項１又は請求項２に記載の清掃具。
【請求項４】
前記清掃部材は、前記清掃部材支持板に着脱可能に支持されていることを特徴とする請求項１乃至請求項３のいずれか１項に記載の清掃具。
【請求項５】
前記清掃部材は、前記ガイドの内側面、外側面及び上面と当接する溝を形成されていることを特徴とする請求項１乃至請求項４のいずれか１項に記載の清掃具。
【請求項６】
前記基体は、その下部に転動体を含むことを特徴とする請求項１乃至請求項４のいずれか１項に記載の清掃具。
【請求項７】
コンベアにより搬送される物品を案内するガイドを清掃する清掃方法であって、
前記搬送される物品の搬送方向における先端と当接し、かつその清掃面が前記ガイドに圧接するように、清掃具を前記コンベア上に載置し、
前記清掃具を、前記コンベアによって前記物品に押させながら搬送することを特徴とする清掃方法。
【請求項８】
前記コンベアの搬送経路の終端部近傍において前記清掃具を前記搬送経路から排斥することを特徴とする請求項７に記載の清掃方法。
【手続補正書】
【提出日】平成22年3月4日(2010.3.4)
【手続補正１】
【補正対象書類名】特許請求の範囲
【補正対象項目名】請求項１
【補正方法】変更
【補正の内容】
【請求項１】
除糠用多孔壁を備えるとともに、下部周壁の内径が上端部よりも小さい円筒状の臼形に形成した臼形精米容器と、これを包囲する集糠容器とを、ほぼ円筒状の外枠内に着脱自在に収容して、その開放上部を蓋で被覆するとともに、前記臼形精米容器の底部中央には攪拌用突片を備えた縦軸を立設し、前記外枠の下方には、前記縦軸を駆動させる駆動手段を内蔵してなる家庭用精米機において、前記臼形精米容器の円筒部内周壁には、プレス加工によって膨出させた複数の突起部を、該突起部の高さ方向のほぼ中央が前記攪拌用突片の下端縁延長線と交差し、かつ、前記円筒部の円周方向で等間隔に設けたことを特徴とする家庭用精米機。
【手続補正２】
【補正対象書類名】明細書
【補正対象項目名】０００７
【補正方法】変更
【補正の内容】
【０００７】
上記課題を解決するため請求項１記載の発明は、除糠用多孔壁を備えるとともに、下部周壁の内径が上端部よりも小さい円筒状の臼形に形成した臼形精米容器と、これを包囲する集糠容器とを、ほぼ円筒状の外枠内に着脱自在に収容して、その開放上部を蓋で被覆するとともに、前記臼形精米容器の底部中央には攪拌用突片を備えた縦軸を立設し、前記外枠の下方には、前記縦軸を駆動させる駆動手段を内蔵してなる家庭用精米機において、前記臼形精米容器の円筒部内周壁には、プレス加工によって膨出させた複数の突起部を、該突起部の高さ方向のほぼ中央が前記攪拌用突片の下端縁延長線と交差し、かつ、前記円筒部の円周方向で等間隔に設ける、という技術的手段を講じた。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
複数種類の図柄を列状に配置した図柄帯が施された円筒状の可動表示体を複数備え、複数の可動表示体を同軸上に軸支すると共に、遊技者による遊技価値の投入と始動操作に基づいて複数の前記可動表示体を回転駆動させて図柄を変動表示可能な図柄変動表示装置と、
所定の画像を表示可能な矩形状の画像表示面、該画像表示面の少なくとも一辺を除く周縁部に配置された発光手段、及び該発光手段からの光を後側から前記画像表示面全体へ略均等に分散するように導く導光手段、を少なくとも有した画像表示装置と、
前記図柄変動表示装置と前記画像表示装置とを支持するユニット支持部材と、
該ユニット支持部材を内部に着脱自在に取付可能とし、前面が開口する箱形又は前面が開口する枠形の外本体と、
該外本体の前面に開閉可能に取り付けられ、前記ユニット支持部材に支持された前記画像表示装置に表示される所定の画像、及び前記図柄変動表示装置における複数の前記可動表示体の図柄が、遊技者から視認可能な透視窓を有した扉形前面部材と
を具備し、
該画像表示装置の画像表示面と前記円筒状の可動表示体の前側外周面とが略同一平面上に配置されており、前記画像表示面において発光手段が備えられていない一辺側を可動表示体と接近する側とし、可動表示体と画像表示面の間に発光手段が配置されていない分、前記可動表示体に対して前記画像表示体を可及的に接近させ配置したことを特徴とする
遊技機。
【請求項２】
請求項１に記載の遊技機であって、
前記画像表示装置は、前記ユニット支持部材に対して扉状に開閉可能な状態でユニット支持部材に支持されていることを特徴とする遊技機。
【請求項３】
請求項１又は２に記載の遊技機であって、
前記ユニット支持部材は、枠状の枠部材を更に支持し、
前記枠部材は、複数の前記可動表示体の回転が停止している時に、該可動表示体に施された前記図柄帯の図柄を所定個数分の図柄群として視認できるように、前記画像表示手段と協働してその他の図柄を遮蔽することを特徴とする、
遊技機。
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
被検体に高周波磁場を照射するＲＦ送信コイルと、
前記ＲＦ送信コイルとの磁気的結合を防止するためのデカップリング回路を備えて、前記被検体からの核磁気共鳴信号を受信するＲＦ受信コイルと、
前記被検体からの核磁気共鳴信号の計測を制御する計測制御手段と、
を備えた磁気共鳴イメージング装置において、
前記デカップリング回路は、温度センサを備え、
前記計測制御手段は、前記温度センサによって検出された温度が所定の閾値を超えた場合に、前記ＲＦ送信コイルによる前記高周波磁場の照射を停止する
ことを特徴とする磁気共鳴イメージング装置。
【請求項２】
請求項１記載の磁気共鳴イメージング装置において、
前記温度センサは、所定の温度で切断する温度ヒューズであり、
前記計測制御手段は、前記温度ヒューズの切断を検出して、前記高周波磁場の照射の停止を行う
ことを特徴とする磁気共鳴イメージング装置。
【請求項３】
請求項２記載の磁気共鳴イメージング装置において、
前記デカップリング回路へのバイアス回路を有して、
前記温度ヒューズは前記バイアス回路と直列に接続されている
ことを特徴とする磁気共鳴イメージング装置。
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
Ｌ−アミノ酸を生産する能力を有する微生物の発酵培養液を分離膜で濾過し、濾液から生産物を回収するとともに未濾過液を前記の発酵培養液に保持または還流し、かつ、その微生物の発酵原料を前記の発酵培養液に追加する連続発酵によりＬ−アミノ酸を製造する方法であって、前記の分離膜として平均細孔径が０.０１μｍ以上１μｍ未満の細孔を有する多孔性膜を用い、その膜間差圧を０.１から２０ｋＰａの範囲にして濾過処理することを特徴とする連続発酵によるＬ−アミノ酸の製造方法。
【請求項２】
多孔性膜の純水透過係数が、２×１０−９ｍ３／ｍ２／ｓ／ｐａ以上６×１０−７ｍ３／ｍ２／ｓ／ｐａ以下である請求項１記載の連続発酵によるＬ−アミノ酸の製造方法。
【請求項３】
多孔性膜の平均細孔径が０.０１μｍ以上０.２μｍ未満であり、かつ、該平均細孔径の標準偏差が０.１μｍ以下である請求項１または２記載の連続発酵によるＬ−アミノ酸の製造方法。
【請求項４】
多孔性膜の膜表面粗さが０.１μｍ以下である請求項１から３のいずれかに記載の連続発酵によるＬ−アミノ酸の製造方法。
【請求項５】
多孔性膜が多孔質樹脂層を含む多孔性膜である請求項１から４のいずれかに記載の連続発酵によるＬ−アミノ酸の製造方法。
【請求項６】
多孔性膜の素材がポリフッ化ビニリデン系樹脂である請求項１から４のいずれかに記載の連続発酵によるＬ−アミノ酸の製造方法。
【請求項７】
Ｌ−アミノ酸がＬ−スレオニンである請求項１から６のいずれかに記載の連続発酵によるＬ−アミノ酸の製造方法。
【請求項８】
Ｌ−アミノ酸を生産する能力を有する微生物が、エシェリシア属（Ｇｅｎｕｓ  Ｅｓｃｈｅｒｉｃｈｉａ）、プロビデンシア属（Ｇｅｎｕｓ  Ｐｒｏｖｉｄｅｎｃｉａ）、コリネバクテリウム属（Ｇｅｎｕｓ  Ｃｏｒｙｎｅｂａｃｔｅｒｉｕｍ）、ブレビバクテリウム属（Ｇｅｎｕｓ  Ｂｒｅｖｉｂａｃｔｅｒｉｕｍ）またはセラチア属（Ｇｅｎｕｓ  Ｓｅｒｒａｔｉａ）のいずれかに属する細菌である請求項７記載の連続発酵によるＬ−アミノ酸の製造方法。
【請求項９】
Ｌ−アミノ酸を生産する能力を有する微生物が、エシェリシア・コリ（Ｅｓｃｈｅｒｉｃｈｉａ  ｃｏｌｉ）、プロビデンシア・レトゲリ（Ｐｒｏｖｉｄｅｎｃｉａ  ｒｅｔｔｇｅｒｉ）、コリネバクテリウム・グルタミカム（Ｃｏｒｙｎｅｂａｃｔｅｒｉｕｍ  ｇｌｕｔａｍｉｃｕｍ）、ブレビバクテリウム・フラバム（Ｂｒｅｖｉｂａｃｔｅｒｉｕｍ  ｆｌａｖｕｍ）、ブレビバクテリウム・ラクトファーメンタム（Ｂｒｅｖｉｂａｃｔｅｒｉｕｍ  ｌａｃｔｏｆｅｒｍｅｎｔｕｍ）またはセラチア・マルセセンス（Ｓｅｒｒａｔｉａ  ｍａｒｃｅｓｃｅｎｓ）のいずれかである請求項７または８記載の連続発酵によるＬ−アミノ酸の製造方法。
【請求項１０】
Ｌ−アミノ酸がＬ−リジンである請求項１から６のいずれかに記載の連続発酵によるＬ−アミノ酸の製造方法。
【請求項１１】
Ｌ−アミノ酸を生産する能力を有する微生物が、エシェリシア属（Ｇｅｎｕｓ  Ｅｓｃｈｅｒｉｃｈｉａ）、コリネバクテリウム属（Ｇｅｎｕｓ  Ｃｏｒｙｎｅｂａｃｔｅｒｉｕｍ）またはブレビバクテリウム属（Ｇｅｎｕｓ  Ｂｒｅｖｉｂａｃｔｅｒｉｕｍ）のいずれかに属する細菌である請求項１０記載の連続発酵によるＬ−アミノ酸の製造方法。
【請求項１２】
Ｌ−アミノ酸を生産する能力を有する微生物が、エシェリシア・コリ（Ｅｓｃｈｅｒｉｃｈｉａ  ｃｏｌｉ）、コリネバクテリウム・グルタミカム（Ｃｏｒｙｎｅｂａｃｔｅｒｉｕｍ  ｇｌｕｔａｍｉｃｕｍ）、ブレビバクテリウム・フラバム（Ｂｒｅｖｉｂａｃｔｅｒｉｕｍ  ｆｌａｖｕｍ）またはブレビバクテリウム・ラクトファーメンタム（Ｂｒｅｖｉｂａｃｔｅｒｉｕｍ  ｌａｃｔｏｆｅｒｍｅｎｔｕｍ）のいずれかである請求項１０または１１記載の連続発酵によるＬ−アミノ酸の製造方法。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】変更
【補正の内容】
【００１９】
本発明の連続発酵によるＬ−アミノ酸の製造方法の好ましい態様によれば、前記のＬ−アミノ酸を生産する能力のある微生物は、エシェリシア属（Ｇｅｎｕｓ  Ｅｓｃｈｅｒｉｃｈｉａ）、プロビデンシア属（Ｇｅｎｕｓ  Ｐｒｏｖｉｄｅｎｃｉａ）、コリネバクテリウム属（Ｇｅｎｕｓ  Ｃｏｒｙｎｅｂａｃｔｅｒｉｕｍ）、ブレビバクテリウム属（Ｇｅｎｕｓ  Ｂｒｅｖｉｂａｃｔｅｒｉｕｍ）またはセラチア属（Ｇｅｎｕｓ  Ｓｅｒｒａｔｉａ）のいずれかに属する細菌であり、特に好ましい細菌は、エシェリシア・コリ（Ｅｓｃｈｅｒｉｃｈｉａ  ｃｏｌｉ）、プロビデンシア・レトゲリ（Ｐｒｏｖｉｄｅｎｃｉａ  ｒｅｔｔｇｅｒｉ）、コリネバクテリウム・グルタミカム（Ｃｏｒｙｎｅｂａｃｔｅｒｉｕｍ  ｇｌｕｔａｍｉｃｕｍ）、ブレビバクテリウム・フラバム（Ｂｒｅｖｉｂａｃｔｅｒｉｕｍ  ｆｌａｖｕｍ）、ブレビバクテリウム・ラクトファーメンタム（Ｂｒｅｖｉｂａｃｔｅｒｉｕｍ  ｌａｃｔｏｆｅｒｍｅｎｔｕｍ）またはセラチア・マルセセンス（Ｓｅｒｒａｔｉａ  ｍａｒｃｅｓｃｅｎｓ）である。
【手続補正５】
【補正対象書類名】明細書
【補正対象項目名】０１０８
【補正方法】変更
【補正の内容】
【０１０８】
以下、本発明の連続発酵によるＬ−アミノ酸の製造方法をさらに詳細に説明するために、図１および図２の概略図に示す連続発酵装置を用いることによる、連続的なＬ−スレオニンおよびＬ−リジンの発酵生産について、実施例を挙げて説明する。本発明はこれらの実施例に限定されない。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、
１回のゲームごとに予め決められた複数の遊技特典の中からいずれかの遊技特典を選び出す内部抽選を行う内部抽選手段と、
前記遊技特典を付与する契機となる所定の表示態様が前記図柄表示部に表示されているか否かを判定する表示態様判定手段と、
前記表示態様判定手段により前記所定の表示態様が表示されていると判定された場合、当該遊技特典を付与する遊技特典付与手段と、
複数のゲームにわたり遊技価値の付与機会を増加させる付与機会増加手段と、
前記複数の遊技特典として、前記付与機会増加手段による遊技価値の付与機会が増加される２つの特別特典を少なくとも有し、
前記２つの特別特典のうち、一方の特別特典のみ、当該特別特典に加えて所定の遊技特典の付与機会を特定数のゲームにわたり増加させた追加特典を付与する追加特典付与手段と、
前記追加特典付与手段により前記追加特典が付与されている追加特典付与状態で、前記内部抽選の抽選対象として全ての遊技特典をその対象として決定する抽選対象決定手段と、
前記追加特典付与手段により前記追加特典が付与されている追加特典付与状態で、前記内部抽選の抽選結果として前記特別特典のうちいずれか一つが選び出された場合、前記特定数のゲームが終わるまで前記所定の遊技特典を前記選び出された特別特典に比して優先して付与させる追加特典優先付与状態を継続させる追加特典優先付与状態継続手段と
を備え、
前記抽選対象決定手段は、前記追加特典優先付与状態において既に選び出された状態となっている既選出特別特典とは別の前記特別特典を含む全ての遊技特典を抽選対象として前記内部抽選を実行させる
ことを特徴とする遊技機。
【請求項２】
前記抽選対象決定手段は、前記追加特典優先付与状態で前記内部抽選の抽選結果として前記既選出特別特典以外の前記特別特典が選び出された場合、前記特定数のゲームが終了するまで前記特別特典とは別の全ての遊技特典を抽選対象として前記内部抽選を実行させる
請求項１に記載の遊技機。
【請求項３】
前記追加特典付与手段は、前記所定の遊技特典として改めて遊技価値を掛けることなく当該ゲームの掛け数が次回のゲームに持ち越される再遊技特典の付与機会を前記特定数のゲームにわたり増加させる
請求項１または請求項２に記載の遊技機。
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
アクチビンＡを含む培地中でヒト多能性幹（ｈＰＳ）細胞を培養し、それによってＳｏｘ  １７、ＨＮＦ３βおよびＨＮＦ４αから選択される１又は複数のマーカーを発現する内胚葉細胞を作製する段階を含む、ｈＰＳ細胞から内胚葉細胞を作製する方法。
【請求項２】
培地がブチラートナトリウムをさらに含む、請求項１記載の方法。
【請求項３】
ｈＰＳ細胞がヒト胚肝細胞である、請求項１記載の方法。
【請求項４】
ｈＰＳ細胞をアクチビンＡと共に培養する前に、ｈＰＳ細胞を無フィーダー条件下でコンフルエントになるまで増殖させる、請求項１記載の方法。
【請求項５】
アクチビンＡと、Ｓｏｘ  １７、ＨＮＦ３βおよびＨＮＦ４αから選択される１又は複数のマーカーを発現する内胚葉細胞集団とを含み、前記内胚葉細胞集団が霊長類多能性幹細胞の子孫である細胞培地。
【請求項６】
前記内胚葉細胞がＳｏｘ  １７およびＨＮＦ３βを発現する、請求項５記載の細胞培地。
【請求項７】
前記内胚葉細胞がＳｏｘ  １７、ＨＮＦ３βおよびＨＮＦ４αを発現する、請求項５記載の細胞培地。
【請求項８】
酪酸ナトリウムをさらに含む、請求項５記載の細胞培地。
【請求項９】
前記霊長類多能性幹細胞がヒト胚性幹細胞である、請求項５記載の細胞培地。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、
ゲームの進行に伴う複数の演出態様を遊技機の外部に向けて表示する表示手段と、
前記表示手段による所定の演出態様の表示を実行させる演出態様表示実行手段と、
１回のゲームごとに予め決められた複数の遊技特典の中からいずれかの遊技特典を選び出す内部抽選を行う内部抽選手段と、
前記遊技特典を付与する契機となる所定の表示態様が前記図柄表示部に表示されているか否かを判定する表示態様判定手段と、
前記表示態様判定手段により前記所定の表示態様が表示されていると判定された場合、当該遊技特典を付与する遊技特典付与手段と、
複数のゲームにわたり遊技価値の付与機会を増加させる付与機会増加手段と、
前記複数の遊技特典として、前記付与機会増加手段による遊技価値の付与機会が増加される２つの特別特典を少なくとも有し、
前記２つの特別特典のうち、一方の特別特典のみ、当該特別特典に加えて所定の遊技特典の付与機会を特定数のゲームにわたり増加させた追加特典を付与する追加特典付与手段と、
前記追加特典付与手段により前記追加特典が付与されている追加特典付与状態で、前記内部抽選の抽選結果として前記特別特典のうち、他方の特別特典が選び出された場合、前記特定数のゲームが終わるまで前記所定の遊技特典を前記他方の特別特典に比して優先して付与させる追加特典優先付与状態を継続させる追加特典優先付与状態継続手段と
を備え、
前記内部抽選手段は、前記追加特典優先付与状態においても前記他方の特別特典とは別の前記特別特典を含む全ての遊技特典を抽選対象として前記内部抽選を実行させる抽選対象決定手段を有し、
前記追加特典優先付与状態で、前記内部抽選の抽選結果として前記一方の特別特典が選び出された場合、当該一方の特別特典を前記他方の特別特典に代えて付与する付与特典代変手段をさらに備え、
前記演出態様表示実行手段は、前記追加特典付与状態が終了となり、前記一方の特別特典が付与される場合、前記付与特典代変手段により前記一方の特別特典と前記他方の特別特典の代変えが行われたことを示唆する昇格演出を実行することを決定する昇格演出態様決定手段を有する
ことを特徴とする遊技機。
【請求項２】
前記昇格演出態様決定手段は、前記付与特典代変手段により前記一方の特別特典と前記他方の特別特典の代変えが行われた場合、必ず前記昇格演出を実行させる決定をする
請求項１に記載の遊技機。
【請求項３】
前記昇格演出態様決定手段は、前記付与特典代変手段により前記一方の特別特典と前記他方の特別特典の代変えが行われずに前記一方の特別特典が付与される場合、所定の割合にて前記昇格演出を実行させる決定をする
請求項１または請求項２に記載の遊技機。
【手続補正２】
【補正対象書類名】明細書
【補正対象項目名】０００８
【補正方法】変更
【補正の内容】
【０００８】
（解決手段１）
解決手段１は、複数種類の図柄を施した図柄帯が付された可動表示体と、前記可動表示体を複数備えた図柄変動表示装置、前記可動表示体に付された図柄帯上の図柄を所定個数分の図柄群として前記図柄変動表示装置内の所定箇所に表示可能とする図柄表示部を有し、遊技価値の投入と遊技者の始動操作により複数の前記可動表示体の変動を開始させ、全ての前記可動表示体の停止操作が受け付けられると、前記図柄変動表示装置に１回のゲームの結果を表示する遊技機において、ゲームの進行に伴う複数の演出態様を遊技機の外部に向けて表示する表示手段と、前記表示手段による所定の演出態様の表示を実行させる演出態様表示実行手段と、１回のゲームごとに予め決められた複数の遊技特典の中からいずれかの遊技特典を選び出す内部抽選を行う内部抽選手段と、前記遊技特典を付与する契機となる所定の表示態様が前記図柄表示部に表示されているか否かを判定する表示態様判定手段と、前記表示態様判定手段により前記所定の表示態様が表示されていると判定された場合、当該遊技特典を付与する遊技特典付与手段と、複数のゲームにわたり遊技価値の付与機会を増加させる付与機会増加手段と、前記複数の遊技特典として、前記付与機会増加手段による遊技価値の付与機会が増加される２つの特別特典を少なくとも有し、前記２つの特別特典のうち、一方の特別特典のみ、当該特別特典に加えて所定の遊技特典の付与機会を特定数のゲームにわたり増加させた追加特典を付与する追加特典付与手段と、前記追加特典付与手段により前記追加特典が付与されている追加特典付与状態で、前記内部抽選の抽選結果として前記特別特典のうち、他方の特別特典が選び出された場合、前記特定数のゲームが終わるまで前記所定の遊技特典を前記他方の特別特典に比して優先して付与させる追加特典優先付与状態を継続させる追加特典優先付与状態継続手段とを備え、前記内部抽選手段は、前記追加特典優先付与状態においても前記他方の特別特典とは別の前記特別特典を含む全ての遊技特典を抽選対象として前記内部抽選を実行させる抽選対象決定手段を有し、前記追加特典優先付与状態で、前記内部抽選の抽選結果として前記一方の特別特典が選び出された場合、当該一方の特別特典を前記他方の特別特典に代えて付与する付与特典代変手段をさらに備え、前記演出態様表示実行手段は、前記追加特典付与状態が終了となり、前記一方の特別特典が付与される場合、前記付与特典代変手段により前記一方の特別特典と前記他方の特別特典の代変えが行われたことを示唆する昇格演出を実行することを決定する昇格演出態様決定手段を有することを特徴とする遊技機である。
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
生体に対して処置を行う可動先端部と、
素線が螺旋状に巻回されて可撓性を有する第一コイルシースと、
素線が螺旋状に巻回されて前記第一コイルシースと同心に外装され、又は内装された可撓性を有する第二コイルシースと、
細長に延びて形成されて先端が前記可動先端部に接続され、前記第一コイルシースに移動可能に挿通された可撓性を有する操作ワイヤと、
該操作ワイヤを進退操作する操作部と、
を備え、
前記第二コイルシースの先端が前記可動先端部に固定され、かつ、基端が前記操作部に固定されていることを特徴とする内視鏡用処置具。
【請求項２】
前記第一コイルシースの先端が、前記可動先端部に対して回動自在に接続され、かつ、基端が、前記操作部に対して回動自在に接続されていることを特徴とする請求項１に記載の内視鏡用処置具。
【請求項３】
前記第一コイルシースの素線及び前記第二コイルシースの素線の少なくとも一方が、略矩形断面であることを特徴とする請求項１又は２に記載の内視鏡用処置具。
【請求項４】
前記第一コイルシースの素線の巻回方向と、前記第二コイルシースの素線の巻回方向とが同一方向であることを特徴とする請求項１から３の何れか一つに記載の内視鏡用処置具。
【請求項５】
前記第一コイルシースの素線の巻回方向と、前記第二コイルシースの素線の巻回方向とが、互いに逆方向であることを特徴とする請求項１から３の何れか一つに記載の内視鏡用処置具。
【請求項６】
生体に対して処置を行う可動部分を備える可動先端部と、
細長に延びて形成されて先端が前記可動先端部の前記可動部分に接続される可撓性の操作ワイヤと、
前記操作ワイヤを進退させる進退操作部と、
前記進退操作部を操作して前記操作ワイヤを進退させたときに、前記可動先端部と前記進退操作部との間で軸線方向に発生する軸力を受ける可撓性の第一のシースと、
前記第一のシースと同軸に配置され、軸線回りの回転方向に前記可動先端部に連結された可撓性の第二のシースと、
前記第二のシースを軸線回りに回転させる回転操作部と、
を備えることを特徴とする内視鏡用処置具。
【手続補正２】
【補正対象書類名】明細書
【補正対象項目名】０００５
【補正方法】変更
【補正の内容】
【０００５】
本発明は、上記課題を解決するため、以下の手段を採用する。
本発明に係る内視鏡用処置具は、生体に対して処置を行う可動先端部と、生体に対して処置を行う可動先端部と、素線が螺旋状に巻回されて可撓性を有する第一コイルシースと、素線が螺旋状に巻回されて前記第一コイルシースと同心に外装され、又は内装された可撓性を有する第二コイルシースと、細長に延びて形成されて先端が前記可動先端部に接続され、前記第一コイルシースに移動可能に挿通された可撓性を有する操作ワイヤと、該操作ワイヤを進退操作する操作部と、を備え、前記第二コイルシースの先端が前記可動先端部に固定され、かつ、基端が前記操作部に固定されていることを特徴とする。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
最初の歯の構成から連続する歯の構成へと歯を再配置するためのシステムであって、前記システムは、歯を受け入れ、かつ再配置するように形成されたキャビティを有するシェルを含む複数の増加位置調整器具であって、１つの構成から連続する構成へと歯を移動させるために患者によって連続的に装着される複数の増加位置調整器具を含み、
第１の器具は、シェルを含み、前記第１の器具は第２の器具の形状と同じ形状を有し、かつ別の器具において対応する部分の剛性とは異なる剛性を有する少なくとも一部分を有することを特徴とする、システム。
【請求項２】
前記第１および第２の器具の形状と同じ形状を有し、かつ一部分において前記第１および第２の器具の対応する部分の剛性とは異なる剛性を有する第３の器具をさらに含む、請求項１に記載のシステム。
【請求項３】
前記第１および第２の器具のシェルの剛性は、前記シェル全体にわたって均一である、請求項１に記載のシステム。
【請求項４】
前記第１および第２の器具のシェルの剛性は、前記シェル全体にわたって不均一である、請求項１に記載のシステム。
【請求項５】
均一であり、かつ前記第１または第２の器具の剛性と実質的に同じ剛性を有する少なくとも第３の器具をさらに含む、請求項１に記載のシステム。
【請求項６】
実質的に類似する剛性を有する器具が、実質的に類似する歯の移動を引き起こすために使用され、前記歯の移動は、チッピング、並進、根元からの直立、回転、押出し、侵入、およびこれらの組み合わせからなる群から選択される、請求項１に記載のシステム。
【請求項７】
前記器具の少なくとも一部の剛性は、歯を受け入れ、歯を所定の歯の構成へと弾性的に再配置するのに適切に可撓性である、請求項１に記載のシステム。
【請求項８】
前記第１および第２の器具の前記シェルの第１および第２の部分は、各器具の対応する位置に配置されており、前記第１および第２の器具の前記第１の部分の剛性は互いに異なる、請求項１に記載のシステム。
【請求項９】
前記第１および第２の器具の前記第２の部分の剛性は互いに異なる、請求項８に記載のシステム。
【請求項１０】
シェルを含む少なくとも１つのさらなる器具をさらに含み、前記さらなる器具は、前記第２の器具の形状とは異なる形状を有する、請求項１に記載のシステム。
【請求項１１】
前記器具は、前記歯のうちの１つ以上の歯に対して弾性配置力を及ぼすように設計され、かつ製造される、請求項１〜１０のいずれか一項に記載のシステム。
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
打撃面と、
後方壁と、
上記打撃面を上記後方壁に連結するヒール壁と、
上記打撃面を上記後方壁に連結するヒール壁とを有し、
上記後方壁が上記打撃面に対して実質的に平行に離間して配置され、かつ、上記後方壁の長さが上記打撃面の長さの１２．５％から３３％であることを特徴とするドライバゴルフクラブヘッド。
【請求項２】
打撃面と、
後方壁と、
上記打撃面を上記後方壁に連結するヒール壁と、
上記打撃面を上記後方壁に連結するヒール壁とを有し、
上記ヒール壁および上記トウ壁は上記打撃面から上記後方壁へとテーパ付けされ、
さらに三角形状のクラウンを有することを特徴とするドライバゴルフクラブヘッド。
【手続補正書】
【提出日】平成22年2月15日(2010.2.15)
【手続補正１】
【補正対象書類名】明細書
【補正対象項目名】０００３
【補正方法】変更
【補正の内容】
【０００３】
生体高分子の中でも遺伝子の導入に関しては、ウイルスベクターを用いる方法、物理的方法（マイクロインジェクション法、エレクトロポレーション法、ジーンパーティクル法など）、あるいは化学的方法（リン酸カルシウム共沈殿法、リポソーム法、DEAEデキストラン法、赤血球ゴースト法、マイクロカプセル法など）、細胞融合法（HVJなど）など多様な方法が開発され、用いられている。これらの方法の中からその特徴を勘案しながら選択し、使用することが既に一般的になっている。
【手続補正２】
【補正対象書類名】明細書
【補正対象項目名】００７４
【補正方法】変更
【補正の内容】
【００７４】
（２）レポーター遺伝子ベクター（pNFκB-SEAP）の調製
実施例２と同様に行った。
（３）HVJ-Eに封入されたIκBαまたはNFκBデコイ核酸の細胞導入
実施例２と同様にHela細胞に対し（１）のHVJ-E封入タンパクを添加し、SEAP Reporter
Gene Assayを行った。
【手続補正３】
【補正対象書類名】明細書
【補正対象項目名】００７８
【補正方法】変更
【補正の内容】
【００７８】
【図１】HVJ-Eに封入されたCy2標識−抗マウスIgG抗体が細胞内に導入されていることを示す図である。可視光および蛍光下で撮影した写真とそれらを合成した写真を示す。ほとんどの細胞に標識抗体が導入されていることが分かる。
【図２】HVJ-Eに封入したCy2標識−抗マウスIgG抗体（HVJ-E）、Chariot処理した同抗体（Chariot）および何らの処理も施さない抗体（Mab Only）をそれぞれ細胞に添加した場合のタンパク質の細胞導入効率を表した図である。陰性コントロールとして、タンパクを添加しない細胞（No Treat）も示す。Chariot処理よりHVJ-E封入の方が、抗体が高効率で導入されていることが分かる。
【図３】Cy3 Mono-Reactive Dye Packで標識したマウスのIgGをHVJ-Eに封入し、Vero細胞に導入した場合の細胞の図である。
【図４】Cy2 Mono-Reactive Dye Packで標識した複合タンパク質（LMW Marker Kit）をHVJ-Eに封入し、Vero細胞に導入した場合の細胞の図である。
【図５】SEAP Reporter Gene Assayの結果である。TNF刺激により誘導されたNFκB活性をHVJ-Eに封入された抗NFκB抗体またはNFκB デコイ核酸が抑制していることが分かる。（TE：TEバッファー、Decoy：NFκB デコイ核酸、 NFκB Ab：抗NFκB抗体、+TNF：TNF刺激有り、+HVJ-E：HVJ-E封入）
【図６】SEAP Reporter Gene Assayの結果である。TNF刺激により誘導されたNFκB活性をHVJ-Eに封入されたIκBαが抑制していることが分かる。（TE：TEバッファー、Decoy：NFκB デコイ核酸、NFκB Ab：抗NFκB抗体、−：HVJ-E無し、+TNF：TNF刺激有り、+HVJ-E：HVJ-E封入）
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
(A)乳酸発酵トマト液及び(B)清澄トマト果汁を含み、トマト果汁含有量1w/w%以上、アルコール度数1〜25%である、トマト果汁含有アルコール飲料。
【請求項２】
(A)乳酸発酵トマト液及び(B)清澄トマト果汁を、同糖度が得られる量に換算した場合に(A)：(B)＝1：50〜50：1の重量比で含む、請求項1のトマト果汁含有アルコール飲料。
【請求項３】
乳酸含有量が0.005g/L以上であるトマト果汁含有アルコール飲料であって、前記(A)乳酸発酵トマト液中のリンゴ酸含有量が1.5g/L以下であることを特徴とする、請求項1又は2に記載のトマト果汁含有アルコール飲料。
【請求項４】
安定化リコピンを含む、請求項1〜3のいずれか1項に記載のトマト果汁含有アルコール飲料。
【請求項５】
以下の工程(a)〜(c)：
(a) トマト果汁を含む液を乳酸菌で発酵させて、液中の乳酸を増加させることを含む、乳酸発酵トマト液を製造する工程；
(b) トマト果汁を酵素処理し、濾過することを含む、清澄トマト果汁を製造する工程；
(c) 前記乳酸発酵トマト液、前記清澄トマト果汁及びアルコールを混合する工程；
を含み、所望により、以下の工程(d)：
(d) 安定化リコピンを添加する工程；
をさらに含む、トマト果汁含有量1w/w%以上、アルコール度数4〜18%であるトマト果汁含有アルコール飲料の製造方法。
【請求項６】
前記工程(a)が、トマト果汁を含む液を乳酸菌で発酵させて、液中のリンゴ酸を減少させることをさらに含み、前記工程(b)における酵素処理がペクチナーゼ処理であり、前記工程(c)におけるアルコールが白ワイン及び／又はニュートラルスピリッツを含む、請求項5のトマト果汁含有アルコール飲料の製造方法。
【請求項７】
請求項5又は6に記載の製造方法で得られたトマト果汁含有アルコール飲料。
【手続補正２】
【補正対象書類名】明細書
【補正対象項目名】００１３
【補正方法】変更
【補正の内容】
【００１３】
本発明における好ましい乳酸発酵トマト液は、上記トマト果汁を含む液を、乳酸菌で発酵させて、液中の乳酸を、増加、好ましくは0.1g/L以上増加、より好ましくは0.5g/L以上増加、さらに好ましくは1.0g/L以上増加、さらにより好ましくは1.5g/L以上増加させることを含む製造方法によって得ることが出来る。発酵によって糖分が分解し、酸味成分(乳酸等)と旨味成分が生成する。前記乳酸菌は、所望の乳酸発酵トマト液を得られる菌であれば制限されず、例えばLactobacillus brevis、Lactobacillus plantarum、Lactobacillus casei等、Lactobacillus属の菌を用いることが出来る。発酵は、当業者に公知の手法を用いて行うことができる。
【手続補正３】
【補正対象書類名】明細書
【補正対象項目名】００１７
【補正方法】変更
【補正の内容】
【００１７】
酵素処理は、トマト果汁中の植物組織を崩壊するために行い、ペクチナーゼ、ペクトリア−ゼ、セルラーゼ、ヘミセルラーゼ、プロテアーゼ、アミラーゼ、リパーゼ等を用いて、各酵素の至適pH、至適温度付近で行うことが出来る。例えば市販のペクチナーゼ酵素製剤を用い、ペクチナーゼ酵素をトマト果汁に添加し、適切な温度、pHで一定時間保持するペクチナーゼ処理によって酵素処理を行うことが出来る。ペクチナーゼ酵素製剤は一般に微生物を培養することによって産生され、この培養液から酵素を単離・精製されたものが酵素製剤として市販されている。培養に用いられる微生物として、例えばAspergillus nigerが挙げられる。同時にセルラーゼ等を作用させてもよい。ペクチナーゼ処理により、トマト果汁中の繊維質が消化される。上記酵素処理に続く濾過処理は、当業者に公知の手法、例えば珪藻土濾過、膜濾過等により行うことができる。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる始動口と、
前記遊技領域に向けて打ち込まれた遊技球の前記始動口への入球確率が高められるように動作する可動部材と、
前記始動口に遊技球が入球されることに応じて、第１の大当たり、及び該第１の大当たりよりも遊技者に有利な第２の大当たりを当選種に含む大当たりにかかる抽選処理を行う抽選手段と、
前記抽選手段により前記大当たりが当選されたことに基づいて前記開閉装置が開閉動作される大当たり遊技を行う特別遊技実行手段と、
前記第１の大当たりが当選されたときは、該当選を契機として、大当たり遊技が実行された後にノーマル遊技状態に制御しうる一方で、前記第２の大当たりが当選されたときは、該当選を契機として、大当たり遊技が実行された後に、前記可動部材が動作するときの動作時間が前記ノーマル遊技状態にあるときよりも長い動作時間に設定変更されるチャンス遊技状態に制御しうる状態制御手段と、
前記抽選処理が行われたとき、前記抽選処理の結果が認識可能とされるように特別図柄が変動表示される特別図柄表示器と、
前記特別図柄表示器とは別に、前記抽選処理の結果が遊技者に示唆されるように複数の画像図柄が変動表示演出される表示面を有する演出画像表示装置と、
前記抽選処理が行われたとき、前記複数の画像図柄についての変動表示演出にかかる演出制御を行う表示制御手段と、を備え、
前記大当たりは、前記ノーマル遊技状態に移行する契機となる前記第１の大当たり、及び前記チャンス遊技状態に移行する契機となる前記第２の大当たりのほか、前記ノーマル遊技状態においては前記第１の大当たりの当たり分配率が最も高い当たり分配率となるように前記第１の大当たりとして機能する一方で、前記チャンス遊技状態においては前記第２の大当たりの当たり分配率が最も高い当たり分配率となるように前記第２の大当たりとして機能する第３の大当たりを含むものであり、
前記状態制御手段は、
前記第３の大当たりが当選されたとき、前記チャンス遊技状態にあるか否かを判断する状態判断手段、及び
前記状態判断手段により前記チャンス遊技状態にない旨判断されたときは、前記第３の大当たりの当選に応じた大当たり遊技が実行されたのちの遊技状態を前記ノーマル遊技状態に制御する一方で、前記状態判断手段により前記チャンス遊技状態にある旨判断されたときは、前記第３の大当たりの当選に応じた大当たり遊技が実行されたのちの遊技状態を前記チャンス遊技状態に制御する特別状態制御手段、を備えることによって、前記チャンス遊技状態への突入率に対してその継続率を高く設定するものであり、
前記表示制御手段は、
前記特別図柄が変動表示されてから停止表示されるまでの間に、前記複数の画像図柄を１回だけ変動表示演出させることによって前記抽選処理の結果を遊技者に示唆する通常演出制御手段のほか、
前記特別図柄が変動表示されてから停止表示されるまでの間に、前記特別図柄表示器では当該特別図柄が１回しか変動表示されないにもかかわらず、前記複数の画像図柄が複数回にわたって変動表示演出されるように前記演出制御を行うことによって前記抽選処理の結果を遊技者に示唆する特別演出制御手段、を有し、
前記チャンス遊技状態において前記変動表示演出として大当たりへの当選の期待度が高い高期待演出が行われるときは、前記通常演出制御手段によって前記変動表示演出が行われる第１の確率よりも、前記特別演出制御手段によって前記変動表示演出が行われる第２の確率のほうが高くなるように前記演出制御を行うことによって、当該チャンス遊技状態における前記変動表示演出の実行頻度が高くなるようにした
ことを特徴とする遊技機。
【請求項２】
前記抽選手段は、前記始動口に遊技球が入球されることに基づいて乱数を取得し、該取得した乱数に基づいて前記抽選処理を行うものである
請求項１に記載の遊技機。
【請求項３】
遊技者が操作可能な操作ハンドルが設けられてなり、該操作ハンドルの操作に応じて前記遊技領域に遊技球が打ち込まれる
請求項１または２に記載の遊技機。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤と、該遊技盤をその前面側に着脱自在に取り付ける本体枠と、該本体枠の一側に開閉自在に軸支されて前記遊技盤の遊技領域を視認可能に透明板で被覆された遊技窓が形成される扉枠と、を備えるパチンコ遊技機であって、
前記遊技盤は、少なくとも、
当該遊技盤の遊技領域に配置された遊技装置
を備え、
前記遊技装置は、少なくとも、
透明な合成樹脂で形成され、かつ、ランプが複数実装されたプリント基板と、
該プリント基板の前面側に近接して配置され、かつ、電力が供給されると透明な領域が部分的に形成される液晶シャッターと、
を備え、
前記プリント基板は、予め定めたモチーフに沿って前記ランプに電力を供給するパターンが設けられるとともに該パターンの表面を覆い被さるように該予め定めたモチーフが塗料で塗装され、
前記液晶シャッターは、前記プリント基板に塗装された前記予め定めたモチーフと対応する位置には電力が供給されると透明な領域が形成される一方、前記プリント基板に複数実装されたランプと対応する位置には不透明な領域が形成されることを特徴とするパチンコ遊技機。
【請求項２】
前記プリント基板は、肉厚の薄い透明な薄肉透明板で形成された、ＰＥＴ基板であることを特徴とする請求項１に記載のパチンコ遊技機。
【手続補正２】
【補正対象書類名】明細書
【補正対象項目名】００１４
【補正方法】変更
【補正の内容】
【００１４】
本発明の請求項１においては、遊技者の遊技意欲の低下を抑制することができる。請求項２においては、パチンコ遊技機に遊技盤を装着する際に、作業者の負担を軽減することができる。